(57)【要約】【課題】シール材によるシール性が損なわれ難い空気調整装置を提供する。【解決手段】シール材２４のうちの、少なくとも通気枠２２における中央枠部分２２ｃに支持されて回転体１０の径方向に延びる部分２４Ａを、中央枠部分２２ｃに支持される基体部分２４ａと、その基体部分２４ａから片持ち状態で連なり且つ回転体１０に対する接触部の両側が中央枠部分２２ｃ側に漸次後退する半円状に形成された接触作用部分２４ｂとを備えるように構成する。【選択図】図５
2008145020.tif 000002
【特許請求の範囲】
【請求項１】
回転軸心方向に通気自在な空調用の回転体と、その回転体における回転軸心方向の両側箇所に配設されて、被空調空気を通過させる半円状の通過領域及び調整空気を通過させる半円状の通過領域を区画形成する一対の通気枠とが設けられ、
前記一対の通気枠の夫々が、前記回転体の回転軸心を通る直線状で且つその直線に直交する横幅方向に幅を有する中央枠部分と、その中央枠部分の両側に位置する前記一対の通過領域の外周部を囲むように位置する外周枠部分とを備えるように構成され、
前記回転体に接触作用するシール材が、前記一対の通過領域の周囲を囲む状態で、前記通気枠に支持されている空気調整装置であって、
前記シール材のうちの、少なくとも前記通気枠における前記中央枠部分に支持されて前記回転体の径方向に延びる部分が、前記中央枠部分に支持される基体部分と、その基体部分から片持ち状態で連なり且つ前記回転体に対する接触部の両側が前記中央枠部分側に漸次後退する半円状に形成された接触作用部分とを備えるように構成されている空気調整装置。
【請求項２】
前記シール材の全体が、前記通気枠に支持される前記基体部分と、その基体部分から片持ち状態で半円状に延びる接触作用部分とを備える状態で、一体形成されている請求項１記載の空気調整装置。
【請求項３】
前記シール材が、前記通過領域が位置する側と前記通過領域から離れる側とのうち、気圧が低い側に前記接触作用部分の基端部を位置させ、気圧が高い側に前記接触作用部分の先端部を位置させるように配設されている請求項１又は２記載の空気調整装置。
【請求項４】
前記回転体が、デシカント調整用である請求項１〜３のいずれか１項に記載の空気調整装置。
【発明の詳細な説明】
【技術分野】
【０００１】
本発明は、回転軸心方向に通気自在な空調用の回転体と、その回転体における回転軸心方向の両側箇所に配設されて、被空調空気を通過させる半円状の通過領域及び調整空気を通過させる半円状の通過領域を区画形成する一対の通気枠とが設けられ、前記一対の通気枠の夫々が、前記回転体の回転軸心を通る直線状で且つその直線に直交する横幅方向に幅を有する中央枠部分と、その中央枠部分の両側に位置する前記一対の通過領域の外周部を囲むように位置する外周枠部分とを備えるように構成され、前記回転体に接触作用するシール材が、前記一対の通過領域の周囲を囲む状態で、前記通気枠に支持されている空気調整装置に関する。
【背景技術】
【０００２】
かかる空気調整装置は、空調用の回転体における被空調用空気を通過させる半円状の通過領域に臨む部分に被空調用空気を通気させ、空調用の回転体における調整空気を通過させる半円状の通過領域に臨む部分に調整空気を通気させて、被空調用空気に対して除湿等の空気調整を行う場合に用いられるものであり、シール材にて空調用の回転体と一対の通気枠との間から被空調空気や調整空気が漏れることを防いでいる。
そして、このような空気調整装置において、従来では、シール材のうちの、通気枠における中央枠部分に支持されて回転体の径方向に延びる部分が、中央枠部分に支持される基体部分と、その基体部分から片持ち状に連なり且つ先端部が回転体に接触する舌片状に形成された接触作用部分とを備えるように構成されていた（例えば、特許文献１参照。）。
ちなみに、シール材の舌片状に形成された接触作用部分は、長手方向視において、基端部から先端部に向けて回転軸心から漸次離れる側に湾曲する形状に形成されている。
【０００３】
【特許文献１】特開２０００−２８５９３９号公報
【発明の開示】
【発明が解決しようとする課題】
【０００４】
シール材のうちの、通気枠における中央枠部分に支持されて回転体の径方向に延びる部分では、回転軸心より径方向一方側に位置する箇所と径方向他方側に位置する箇所とで回転体が摺動する方向が異なるものであり、上記した従来の技術のように、舌片状に形成された接触作用部分の先端部を回転体に接触させていると、接触作用部分における回転軸心より径方向一方側に位置する部分は、その基端側から先端側に向けて回転体が摺動するため、適正な姿勢を維持し易いものの、接触作用部分における回転軸心より径方向他方側に位置する部分は、その先端側から基端側に向けて回転体が摺動するため、その先端部が回転体にて係止移動されて、基端部から先端部に向けて回転軸心から漸次離れる側に湾曲する形状から、先端部が回転軸心に近付くように変化した姿勢となって、シール性が損なわれる虞があった。
【０００５】
本発明は、上記実状に鑑みて為されたものであって、その目的は、シール材によるシール性が損なわれ難い空気調整装置を提供する点にある。
【課題を解決するための手段】
【０００６】
この目的を達成するために、本発明にかかる空気調整装置は、回転軸心方向に通気自在な空調用の回転体と、その回転体における回転軸心方向の両側箇所に配設されて、被空調空気を通過させる半円状の通過領域及び調整空気を通過させる半円状の通過領域を区画形成する一対の通気枠とが設けられ、前記一対の通気枠の夫々が、前記回転体の回転軸心を通る直線状で且つその直線に直交する横幅方向に幅を有する中央枠部分と、その中央枠部分の両側に位置する前記一対の通過領域の外周部を囲むように位置する外周枠部分とを備えるように構成され、前記回転体に接触作用するシール材が、前記一対の通過領域の周囲を囲む状態で、前記通気枠に支持されているものであって、その第１特徴構成は、
前記シール材のうちの、少なくとも前記通気枠における前記中央枠部分に支持されて前記回転体の径方向に延びる部分が、前記中央枠部分に支持される基体部分と、その基体部分から片持ち状態で連なり且つ前記回転体に対する接触部の両側が前記中央枠部分側に漸次後退する半円状に形成された接触作用部分とを備えるように構成されている点にある。
【０００７】
すなわち、シール材のうちの、少なくとも通気枠における中央枠部分に支持されて回転体の径方向に延びる部分は、中央枠部分に支持される基体部分と、その基体部分から片持ち状態で連なり且つ回転体に対する接触部の両側が中央枠部分側に漸次後退する半円状に形成された接触作用部分とを備えるように構成されているから、基端側から先端側に向けて回転体が摺動する接触作用部分における回転軸心より径方向一方側に位置する部分はもとより、先端側から基端側に向けて回転体が摺動する接触作用部分における回転軸心より径方向他方側に位置する部分においても、接触作用部分の先端部が回転体にて係止移動されず、回転体に対する接触部の両側が中央枠部分側に漸次後退する半円状から、先端部が回転軸心に近付くように変化した姿勢とならず適正な姿勢を維持し易いので、シール性が損なわれ難いものであり、もって、シール材によるシール性が損なわれ難い空気調整装置を提供することができるに至った。
【０００８】
本発明にかかる空気調整装置の第２特徴構成は、第１特徴構成において、前記シール材の全体が、前記通気枠に支持される前記基体部分と、その基体部分から片持ち状態で半円状に延びる接触作用部分とを備える状態で、一体形成されている点にある。
【０００９】
すなわち、前記シール材の全体が、前記通気枠に支持される前記基体部分と、その基体部分から片持ち状態で半円状に延びる接触作用部分とを備える状態で、一体形成されているため、シール材のうちの、通気枠における中央枠部分に支持されて回転体の径方向に延びる部分と通気枠における外周枠部分に支持されて回転体の周方向に延びる部分との間に隙間が形成され難いように組み付け易く、もって、シール材を組み付け易い空気調整装置を提供することができるに至った。
【００１０】
本発明にかかる空気調整装置の第３特徴構成は、第１又は第２特徴構成において、前記シール材が、前記通過領域が位置する側と前記通過領域から離れる側とのうち、気圧が低い側に前記接触作用部分の基端部を位置させ、気圧が高い側に前記接触作用部分の先端部を位置させるように配設されている点にある。
【００１１】
すなわち、シール材の接触作用部分が、周囲の空気によって気圧が高い側から気圧が低い側、つまりは、先端部が位置する側から基端部が位置する側に押され、これに伴ってシール材の接触作用部分における接触部においては回転体に押し付けられるため、シール材によるシール性を高めることができ、もって、シール材によるシール性が高い空気調整装置を提供することができるに至った。
【００１２】
本発明にかかる空気調整装置の第４特徴構成は、第１〜第３特徴構成のいずれか１つにおいて、前記回転体が、デシカント調整用である点にある。
【００１３】
すなわち、回転体に吸湿材を備えさせておき、加熱させた調整空気を回転体に通気させる際に回転体から放湿させ、被空調空気を回転体に通気させる際に被空調空気中の水蒸気を回転体に吸収させて被空調空気を除湿する、又は、調整空気を回転体に通気させる際に調整空気中の水蒸気を回転体に吸収させ、加熱させた被空調空気を回転体に通気させる際に回転体から放湿させて被空調空気を加湿するようにして、シール材にて空調用の回転体と一対の通気枠との間から被空調空気や調整空気が漏れること防ぎながら適切に除湿や加湿を行うことができ、もって、被空調空気の除湿や加湿を適切に行うことができる空気調整装置を提供することができるに至った。
【発明を実施するための最良の形態】
【００１４】
以下、本発明の実施形態を図面に基づいて説明する。
図１に示すように、空気調整装置（以下、単に空調装置と記載する場合がある）は、被空調空気としての外気ＯＡを装置内に吸い込むための外気吸込口１、その装置内に吸い込んだ外気ＯＡを供給用空気ＳＡとして空調対象空間としての複数の空調対象室に供給するための給気送出口２、調整空気としての住宅内の空気（以下、内気と称する）ＲＡを装置内に吸い込むための内気吸込口３及びその装置内に吸い込んだ内気ＲＡを排出用空気ＥＡとして屋外に排出するための排気送出口４を備えたケーシング５を用いて組み付けて構成してあり、図示は省略するが、住宅の天井裏等に配置する。
【００１５】
図示は省略するが、外気ＯＡを導入する外気導入ダクトを前記外気吸込口１に接続し、各空調対象室の給気口に接続した給気ダクトを前記給気送出口２に接続し、住宅内の排気口に接続した排気ダクトを前記内気吸込口３に接続し、内気ＲＡを屋外に排出する排気ダクトを前記排気送出口４に接続する。
そして、前記外気導入ダクトを通じて導入した外気ＯＡを空調して供給用空気ＳＡとして前記給気ダクトを通じて各空調対象室に供給する共に、前記排気ダクトを通じて住宅内から吸込んだ内気ＲＡを排出用空気ＥＡとして前記排気導出ダクトを通じて屋外に排出するように構成してある。
【００１６】
この実施形態の空調装置は、除湿タイプであり、この除湿タイプの空調装置は、図１に示すように、空調対象室に供給する供給用空気ＳＡの給気風路６に通風作用する給気送風手段としての給気送風機７と、空調対象室外に排出する排出用空気ＥＡの排気風路８に通風作用する排気送風手段としての排気送風機９と、一部を前記給気風路６に位置させ且つ他の一部を前記排気風路８に位置させるように配置され且つ回転軸心方向に通気自在な回転体としての調湿ロータ１０及びその調湿ロータ１０における前記給気風路６に位置させる部分及び前記排気風路８に位置させる部分を回転に伴って変更させるように前記調湿ロータ１０を駆動回転する駆動手段としての電動モータ１１を備えた調湿手段としての調湿部Ｌと、前記給気風路６における前記調湿ロータ１０よりも通風方向下手側箇所を通流する空気と前記排気風路８における前記調湿ロータ１０よりも通風方向上手側箇所を通流する空気とを熱交換させる顕熱交換部Ｓと、前記排気風路８における前記顕熱交換部Ｓと前記調湿ロータ１０との間の箇所を通流する空気に対して加熱作用する加熱手段としての除湿用加熱器１２と、この空調装置の運転を制御する運転制御手段としての運転制御部１３と、その運転制御部１３に各種制御情報を指令する遠隔操作式の操作部１４等を備えて構成してある。
【００１７】
以下、空調装置の各部について説明を加える。
図１ないし図３に示すように、前記ケーシング５は、薄型状の直方体形状に形成し、その厚さ方向視における４つの側壁のうちの一側壁に、第１吸込口５ａ及び第２送出口５ｄを並べて設け、それら第１吸込口５ａ及び第２送出口５ｄを設けた側壁に対向する側壁に、第２吸込口５ｃ及び第１送出口５ｂを第２吸込口５ｃが前記第１吸込口５ａと同じ側に位置する状態で並べて設けてある。
【００１８】
前記ケーシング５の内部を、中間隔壁１５にて、前記第１吸込口５ａ及び前記第２吸込口５ｃの側の風路形成部１６と、前記第２送出口５ｄ及び前記第１送出口５ｂの側の送風機室形成部１７とに仕切り、更に、その送風機室形成部１７を、送風機室隔壁１８にて、前記第１送出口５ｂの側の第１送風機室１９と前記第２送出口５ｄの側の第２送風機室２０とに仕切ってある。
【００１９】
図１、図２及び図４に基づいて、前記調湿部Ｌについて説明を加える。
前記調湿ロータ１０は、円盤状でその軸心方向に通気自在なハニカム状の基材に吸湿材（シリカゲルや塩化リチウム等）を保持してデシカント調整用に構成し、その外周部に全周にわたってギア部２１を設けてある。
前記調湿部Ｌは、調湿ロータ１０における回転軸心方向の両側箇所に配置されて、外気ＯＡを通過させる半円状の通過領域２２ａ及び内気ＲＡを通過させる半円状の通過領域２２ｂを区画形成する一対の矩形枠状の通気枠２２を設け、この通気枠２２に、前記調湿ロータ１０をその軸心にて回転自在に支持すると共に、前記電動モータ１１をその出力軸に設けたギア２３を前記調湿ロータ１０の外周部のギア部２１に噛み合わせた状態で設けて、ユニット状に構成してある。ちなみに、一対の通気枠２２は、四隅において連結棒４０にて互いに連結されている。
そして、電動モータ１１を作動させることにより、調湿ロータ１０を軸心周りに駆動回転するように構成してある。
【００２０】
前記一対の通気枠２２の夫々を、前記調湿ロータ１０の回転軸心Ｐを通る直線状で且つその直線に直交する横幅方向に幅を有する中央枠部分２２ｃと、その中央枠部分２２ｃの両側に位置する前記一対の通過領域２２ａ、２２ｂの外周部を囲むように位置する外周枠部分２２ｄとを備えるように構成してある。
説明を加えると、一対の通気枠２２の夫々には、調湿ロータ１０と略同じ大きさの開口の中央に上下方向に縦断する形態で前記中央枠部分２２ｃが備えられており、その中央枠部分の中間隔壁１５が位置する側に位置する開口を、内気ＲＡを通過させる半円状の通過領域２２ｂとし、中間隔壁１５が位置する側とは反対側に位置する開口を、外気ＯＡを通過させる半円状の通過領域２２ａとしている。つまり、一対の通気枠２２の両方に備えられた外気ＯＡを通過させる半円状の通過領域２２ａ、並びに、一対の通気枠２２の両方に備えられた内気ＲＡを通過させる半円状の通過領域２２ｂを、前記軸心方向視において重なる状態で形成してある。
【００２１】
そして、調湿ロータ１０に接触作用するシール材２４を、前記一対の通過領域２２ａ、２２ｂの周囲を囲む状態で、前記通気枠２２に支持してある。
前記シール材２４のうちの、前記通気枠２２における前記中央枠部分２２ｃに支持されて前記調湿ロータ１０の径方向に延びる部分（以下、径方向部分と称する）２４Ａが、前記中央枠部分２２ｃに支持される基体部分２４ａと、その基体部分２４ａから片持ち状態で連なり且つ前記調湿ロータ１０に対する接触部の両側が前記中央枠部分２２ｃ側に漸次後退する半円状に形成された接触作用部分２４ｂとを備えるように構成してある。
また、前記シール材２４のうちの、前記通気枠２２における前記外周枠部分２２ｄに支持されて前記調湿ロータ１０の周方向に延びる部分（以下、周方向部分と称する）２４Ｂも同様に、基体部分２４ａと接触作用部分２４ｂとを備えるように構成してある。さらに、前記シール材２４のうちの、前記径方向部分２４Ａと前記周方向部分２４Ｂとを一体形成してある。
つまり、前記シール材２４の全体が、前記通気枠に支持される前記基体部分２４ａと、その基体部分２４ａから片持ち状態で半円状に延びる接触作用部分２４ｂとを備える状態で、一体形成してある。
ちなみに、シール材２４の全体とは、外気ＯＡを通過させる半円状の通過領域２２ａ、或いは、内気ＲＡを通過させる半円状の通過領域２２ｂの周囲を囲むシール材２４の全体であり、外気ＯＡを通過させる半円状の通過領域２２ａの周囲を囲むシール材２４と、内気ＲＡを通過させる半円状の通過領域２２ｂの周囲を囲むシール材２４とは、別体形成されており、夫々のシール材２４は軸心方向視でＤ字状に形成してある。
【００２２】
次に、シール材２４について説明を加える。
図５に示すように、前記シール材２４の径方向部分２４Ａは、平板状の基体部分２４ａを粘着テープにて通気枠２２における中央枠部分２２ｃに貼付してあり、前記シール材２４の周方向部分２４Ｂは、平板状の基体部分２４ａを粘着テープにて通気枠２２における外周枠部分２２ｄに貼付してある。
前記シール材２４の径方向部分２４Ａ並びに前記シール材２４の周方向部分２４Ｂにおける基体部分２４ａは、その基体部分２４ａに最も近い通過領域（外気ＯＡを通過させる半円状の通過領域２２ａの周囲を囲むシール材２４であればその囲む通過領域２２ａであり、内気ＲＡを通過させる半円状の通過領域２２ｂの周囲を囲むシール材２４であればその囲む通過領域２２ｂである）が位置する側の端部に板状の接触作用部分２４ｂが片持ち状に連なっている。この接触作用部分２４ｂは、基体部分２４ａにおける最も近い通過領域が位置する側とは反対側の端部に向けて半円状に延びており、その先端部が基体部分２４ａに近接する状態となるように形成してあり、基体部分２４ａと接触作用部分２４ｂとの間に中空部分を形成することによりシール材２４が弾性変形し易いように構成してある。
そして、シール材２４の径方向部分２４Ａにおける調湿ロータ１０に接触する接触部は、調湿ロータ１０におけるロータ本体１０ａに接当し、シール材２４の周方向部分２４Ｂにおける調湿ロータ１０に接触する接触部は、調湿ロータにおけるロータ本体１０ａの周囲に備えた縁部材１０ｂに接当するように構成してある。
【００２３】
前記シール材２４は、前記通過領域が位置する側と前記通過領域から離れる側とのうち、気圧が低い側に前記接触作用部分２４ｂの基端部を位置させ、気圧が高い側に前記接触作用部分２４ｂの先端部を位置させるように配設してある。
つまり、シール材２４から通過領域から離れる側は大気圧であるのに対して、シール材２４から通過領域が位置する側は給気送風機７或いは排気送風機９の吸引作用によって負圧になるので、シール材２４は、通気領域が位置する側に接触作用部分２４ｂの基端部を位置させ、通過領域から離れる側に接触作用部分２４ａの先端部を位置させるように配設してある。
【００２４】
図１に示すように、前記顕熱交換部Ｓは、第１熱交換流路（図示省略）及び第２熱交換流路（図示省略）を直交する状態で且つ夫々の熱交換流路を通流する流体同士で熱交換される状態で備えた静止型の顕熱交換器２５にて構成してある。
説明を加えると、この顕熱交換器２５は、厚さ方向視の形状が略正方形状の直方体又は立方体状であり、図示は省略するが、厚さ方向に複数の第１熱交換流路及び複数の第２熱交換流路が隔壁を隔てて交互に並ぶ形態でアルミニウム等の熱伝導率の高い材料にて形成してある。
そして、この顕熱交換器２５における厚さ方向視での４つの側面のうちの１つの側面２５ａには、前記複数の第１熱交換流路の入口側開口部が形成され、その側面２５ａとは反対側の側面２５ｂには、前記複数の第１熱交換流路の出口側開口部が形成され、残りの２つの側面のうちの１つの側面２５ｃには、前記複数の第２熱交換流路の入口側開口部が形成され、その側面２５ｃとは反対側の側面２５ｄには、前記複数の第２熱交換流路の出口側開口部が形成されている。
【００２５】
そして、図１に示すように、前記調湿部Ｌ及び前記顕熱交換器２５を、前記ケーシング５内における前記風路形成部１６内に、調湿部Ｌを第１吸込口５ａの側に位置させる状態で第１吸込口５ａ及び第２吸込口５ｃの並び方向に並べて設けてある。
調湿部Ｌは、外気ＯＡを通過させる半円状の通過領域２２ａ及び内気ＲＡを通過させる半円状の通過領域２２ｂが前記ケーシング５の横幅方向に並ぶ姿勢で、前記ケーシング５内における前記風路形成部１６内を第１吸込口５ａの側の部分と第２吸込口５ｃの側の部分とに仕切る状態で設け、更に、その前記風路形成部１６内における調湿部Ｌよりも第１吸込口５ａの側の部分を、風路仕切り壁２６により、調湿部Ｌの外気ＯＡを通過させる半円状の通過領域２２ａと前記第１吸込口５ａが臨む第１吸込室２７と、調湿部Ｌの内気ＲＡを通過させる半円状の通過領域２２ｂが臨む第２送出室２８とに仕切ってある。
【００２６】
前記顕熱交換器２５を、前記複数の第１熱交換流路の入口側開口部が形成された側面２５ａを前記中間隔壁１５の側とは反対側に向けた姿勢で、その側面２５ａと前記複数の第２熱交換流路の出口側開口部が形成された側面２５ｄとにより形成される角部２５ｅを調湿部Ｌ側に向けてその調湿部Ｌに近接させた状態で設けて、前記風路形成部１６内における調湿部Ｌよりも前記第１吸込口５ｃの側の部分を、前記複数の第１熱交換流路の入口側開口部が形成された側面２５ａと調湿部Ｌの外気ＯＡを通過させる半円状の通過領域２２ａとが臨む第１接続室２９、前記複数の第１熱交換流路の出口側開口部が形成された側面２５ｂが臨む第１送出室３０、前記複数の第２熱交換流路の入口側開口部が形成された側面２５ｃ及び前記第２吸込口５ｃが臨む第２吸込室３１、及び、前記複数の第２熱交換流路の出口側開口部が形成された側面２５ｄと調湿部Ｌの内気ＲＡを通過させる半円状の通過領域２２ｂが臨む第２接続室３２の４室に仕切ってある。
尚、調湿部Ｌにおける通気枠２２の中央枠部分２２ｃと顕熱交換器２５の前記角部２５ｅとわたって風路仕切り壁３３を設けて、その風路仕切り壁３３にて前記第１接続室２９と前記第２接続室３２とを仕切ってある。
【００２７】
前記顕熱交換器２５の配置形態について説明を加えると、この顕熱交換器２５は、その複数の第２熱交換流路の出口側開口部が形成された側面２５ｄが、前記調湿ロータ１０の軸心方向の端面と４５°よりも小さい角度（例えば、２５°）で対向する状態に設けてある。
【００２８】
図１及び図３に示すように、前記中間隔壁１５には、前記第１送出室３０と前記第１送風機室１９とを連通する第１連通開口３４、及び、前記第２送出室２８と前記第２送風機室２０とを連通する第２連通開口３５を形成してある。
【００２９】
前記除湿用加熱器１２は、熱媒を通流させる熱媒流通管（図示省略）を空気の通過が可能なように蛇行状に配管した熱媒循環式に構成し、図１に示すように、その除湿用加熱器１２を、前記第２接続室３２内に、前記顕熱交換器２５における前記複数の第２熱交換流路の出口が形成された側面２５ｄに近接させた状態で設けてある。
そして、その除湿用加熱器１２と熱源機（図示省略）とを熱媒循環路３６にて接続して、その熱源機にて加熱した熱媒を熱媒循環路３６を通じて除湿用加熱器１２に循環供給するように構成してある。
そして、前記熱媒循環路３６に除湿用熱動弁３７を設けて、その除湿用熱動弁３７を開閉して前記除湿用加熱器１２への熱媒の供給を断続することにより、前記除湿用加熱器１２を加熱作用状態と加熱停止状態とに切り換え自在に構成してある。
【００３０】
図１に示すように、前記第１吸込口５ａ、前記第２吸込口５ｃには、夫々、通過する空気から除塵する第１フィルタ３８、第２フィルタ３９を設けてある。
【００３１】
この第１実施形態においては、前記第１吸込口５ａを前記外気吸込口１として、前記第１送出口５ｂを前記給気送出口２として夫々用い、前記給気送風機７を前記第１連通開口３４に吸引作用するように前記第１送風機室１９内に設けて、前記給気風路６を、前記第１吸込室２７、前記第１接続室２９及び前記第１送出室３０を備えて構成してある。
そして、前記給気送風機７を作動させることにより、前記外気吸込口１から吸い込んだ外気ＯＡを、第１吸込室２７、調湿ロータ１０、第１接続室２９、顕熱交換器２５の第１熱交換流路、第１送出室３０、第１連通開口３４を順次通過させる形態で、給気風路６を通して通流させて、給気送出口２から供給用空気ＳＡとして送出するように構成してある。
【００３２】
この実施形態においては、前記第１吸込口５ａを前記外気吸込口１として、前記第１送出口５ｂを前記給気送出口２として夫々用い、前記給気送風機７を前記第１連通開口３４に吸引作用するように前記第１送風機室１９内に設けて、前記給気風路６を、前記第１吸込室２７、前記第１接続室２９及び前記第１送出室３０を備えて構成してある。
そして、前記給気送風機７を作動させることにより、前記外気吸込口１から吸い込んだ外気ＯＡを、第１吸込室２７、調湿ロータ１０、第１接続室２９、顕熱交換器２５の第１熱交換流路、第１送出室３０、第１連通開口３４を順次通過させる形態で、給気風路６を通して通流させて、給気送出口２から供給用空気ＳＡとして送出するように構成してある。
【００３３】
又、前記第２吸込口５ｃを前記内気吸込口３として、前記第２送出口５ｄを前記排気送出口４として夫々用い、前記排気送風機９を前記第２連通開口３５に吸引作用するように前記第２送風機室２０内に設けて、前記排気風路８を、前記第２吸込室３１、前記第２接続室３２及び前記第２送出室２８とを備えて構成してある。
そして、前記排気送風機９を作動させることにより、前記内気吸込口３から吸い込んだ内気ＲＡを、第２吸込室３１、顕熱交換器２５の第２熱交換流路、第２接続室３２、調湿ロータ１０、第２送出室２８、第２連通開口３５を順次通過させる形態で、排気風路８を通して通流させて、排気送出口４から排出用空気ＥＡとして送出するように構成してある。
【００３４】
前記運転制御部１３は、運転モードとして、前記給気送風機７及び前記排気送風機９を作動させ、前記調湿ロータ１０を調湿用設定速度で回転駆動し、前記除湿用加熱器１２を加熱作用状態にする除湿換気モード、及び、前記給気送風機７及び前記排気送風機９を作動させ、前記調湿ロータ１０を停止させ、前記除湿用加熱器１２を加熱停止状態にする通常換気モードを備えるように構成してある。
前記操作部１４には、図示を省略するが、上述のようにこの空調装置に備えさせてある複数の運転モードを択一的に選択して実行させる運転モード選択スイッチ等を設けてある。
【００３５】
次に、前記運転制御部１３の制御動作について、説明する。
運転制御部１３、前記操作部１４からの指令情報に基づいて、運転モード選択スイッチにて指令された運転モードを実行するように構成してある。
以下、上記の各運転モード夫々についての前記運転制御部１３の制御動作を説明する。
前記除湿換気モードでは、前記給気送風機７及び前記排気送風機９夫々を作動させ、前記調湿ロータ１０を予め設定した調湿用設定速度にて回転駆動するように前記電動モータ１１を作動させ、前記除湿用熱動弁３７を開弁して前記除湿用加熱器１２を加熱作用状態にする。
【００３６】
この除湿換気モードでは、図１を参照すると、内気吸込口３から排気風路８に吸い込まれた内気ＲＡは、顕熱交換器２５の第２熱交換流路、加熱作用状態の除湿用加熱器１２、前記調湿用設定速度にて回転する調湿ロータ１０を順次通過して、排気送出口４から排気ダクトを通じて排出用空気ＥＡとして屋外に排出され、一方、給気吸込口１から給気風路６に吸い込まれた外気ＯＡは、前記調湿用設定速度にて回転する調湿ロータ１０、顕熱交換器２５の第１熱交換流路を順次通過して通流して、給気送出口２から給気ダクトを通じて供給用空気ＳＡとして空調対象室に供給される。
【００３７】
そして、内気ＲＡは、顕熱交換器２５を通過するときに、外気ＯＡとの熱交換により加熱され、更に、除湿用加熱器１２を通過することで加熱され、そのように加熱された内気ＲＡが調湿ロータ１０を通過するときに調湿ロータ１０から放湿されて加湿された後、排出用空気ＥＡとして屋外に排出され、一方、外気ＯＡは、調湿ロータ１０を通過するときに、その外気ＯＡ中の水蒸気が調湿ロータ１０に吸収されて除湿されると共に凝縮熱により加熱され、そのように除湿並びに加熱された外気ＯＡが顕熱交換器２５を通過するときに内気ＲＡとの熱交換により冷却され、そのように除湿並びに冷却された外気ＯＡが供給用空気ＳＡとして空調対象室に供給されるので、空調対象室が換気されながら除湿される。
【００３８】
前記通常換気モードでは、前記給気送風機７及び前記排気送風機９夫々を作動させ、前記電動モータ１１を停止させて前記調湿ロータ１０の回転を停止させ、前記除湿用熱動弁３７を閉弁して前記除湿用加熱器１２を加熱停止状態にする。
この通常換気モードでは、図１を参照すると、内気吸込口３から排気風路８に吸い込まれた内気ＲＡは、顕熱交換器２５の第２熱交換流路、加熱停止状態の除湿用加熱器１２、回転停止状態の調湿ロータ１０を順次通過して、排気送出口４から排気ダクトを通じて排出用空気ＥＡとして屋外に排出され、一方、給気吸込口１から給気風路６に吸い込まれた外気ＯＡは、回転停止状態の調湿ロータ１０、顕熱交換器２５の第１熱交換流路を順次通過して通流して、給気送出口２から給気ダクトを通じて供給用空気ＳＡとして空調対象室に供給されることになり、空調対象室が換気される。
【００３９】
〔別実施形態〕
次に別実施形態について説明する。
（１）  上記実施形態では、空気調整装置を除湿タイプとしたが、空気調整装置を加湿タイプとしてもよい。
つまり、外気ＯＡを導入する外気導入ダクトを前記内気吸込口３に接続し、各空調対象室の給気口に接続した給気ダクトを前記排気送出口４に接続し、住宅内の排気口に接続した排気ダクトを前記外気吸込口１に接続し、内気ＲＡを屋外に排出する排気ダクトを前記給気送出口２に接続して、前記外気導入ダクトを通じて導入した外気ＯＡを空調して供給用空気ＳＡとして前記給気ダクトを通じて各空調対象室に供給する共に、前記排気ダクトを通じて住宅内から吸込んだ内気ＲＡを排出用空気ＥＡとして前記排気導出ダクトを通じて屋外に排出するように構成してもよい。
このように構成することによって、内気ＲＡは、調湿ロータ１０を通過するときに、その内気ＲＡ中の水蒸気が調湿ロータ１０に吸収されて内気ＲＡが除湿されると共に凝縮熱により加熱され、その除湿並びに加熱された内気ＲＡが顕熱交換器２５を通過するときに外気ＯＡとの熱交換により冷却された後、排出用空気ＥＡとして屋外に排出され、一方、外気ＯＡは、顕熱交換器２５を通過するときに内気ＲＡとの熱交換により加熱され、更に、前記加湿用加熱器４０を通過することで加熱され、そのように加熱された外気ＯＡが調湿ロータ１０を通過するときに調湿ロータ１０から放湿されて加湿され、そのように加湿並びに加熱された外気ＯＡが供給用空気ＳＡとして空調対象室に供給されるので、空調対象室が換気されながら加湿される。
【００４０】
（２）  上記実施の形態では、シール材２４の全体を、一体形成したが、シール材２４の回転体の径方向に延びる部分２４Ａと周方向に延びる部分２４Ｂとを別体に形成してもよい。
また、シール材２４の全体を、通気枠２２に支持される基体部分２４ａと、その基体部分２４ａから片持ち状態で半円状に延びる接触作用部分２４ｂとを備える状態としたが、周方向に延びる部分２４Ｂの形状は適宜変更してもよく、シール材２４のうちの、少なくとも通気枠２２における中央枠部分２２ｃに支持されて回転体１０の径方向に延びる部分が、中央枠部分２２ｃに支持される基体部分２４ａと、その基体部分２４ａから片持ち状態で連なり且つ回転体１０に対する接触部の両側が中央枠部分２２ｃ側に漸次後退する半円状に形成された接触作用部分２４ｂとを備えるように構成されておればよい。
【００４１】
（３）  上記実施の形態では、シール材２４を、通気領域が位置する側に接触作用部分２４ｂの基端部を位置させ、通過領域から離れる側に接触作用部分２４ａの先端部を位置させるように配設して、通過領域が位置する側と通過領域から離れる側とのうち、気圧が低い側に接触作用部分２４ｂの基端部を位置させ、気圧が高い側に接触作用部分２４ｂの先端部を位置させたが、シール材２４を、通気領域が位置する側に接触作用部分２４ｂの先端部を位置させ、通過領域から離れる側に接触作用部分２４ａの基端部を位置させるように配設して、通過領域が位置する側と通過領域から離れる側とのうち、気圧が低い側に接触作用部分の先端部を位置させ、気圧が高い側に接触作用部分２４ｂの基端部を位置させるようにしてもよい。
また、気圧の高低に拘らず、シール材２４を、通気領域が位置する側に接触作用部分２４ｂの基端部を位置させ、通過領域から離れる側に接触作用部分２４ａの先端部を位置させる、又は、シール材２４を、通気領域が位置する側に接触作用部分２４ｂの先端部を位置させ、通過領域から離れる側に接触作用部分２４ａの基端部を位置させるようにしてもよい。
【００４２】
（４）  上記実施の形態では、シール材２４の接触作用部分２４ｂを半円状（円弧状）としたが、この半円状の形状としては、半円より多少大きい又は小さい形状でもよい。また、シール材２４の基体部分２４ａの形状も適宜変更してもよく、例えば、基体部分２４ａの断面視形状をＬ字状に形成して先端に接触作用部分２４ｂを連ねる立ち上がり部分を備える形状にしてもよい。
【００４３】
（５）  上記実施の形態では、回転体１０をデシカント調整用としたが、回転体を顕熱交換用としてもよい。
【図面の簡単な説明】
【００４４】
【図１】空気調整装置の平面図
【図２】空気調整装置の正面図
【図３】空気調整装置の側面図
【図４】調湿部の斜視図
【図５】シール材を示す図
【符号の説明】
【００４５】
１０    回転体
２２    通気枠
２２ａ  通過領域
２２ｂ  通過領域
２２ｃ  中央枠部分
２２ｄ  外周枠部分
２４    シール材
２４ａ  基体部分
２４ｂ  接触作用部分
ＯＡ    被空調空気
ＲＡ    調整空気
Ｐ    回転軸心
【図１】
2008145020.tif 000003
【図２】
2008145020.tif 000004
【図３】
2008145020.tif 000005
【図４】
2008145020.tif 000006
【図５】
2008145020.tif 000007